(57)【要約】      （修正有）【課題】冷却空気を均一に分配するギャレーカートを提供する。【解決手段】ギャレーカートは、入口部１２０と出口部１２２を有する後壁１１３を有する。第１仕切りは第１端を有し、第１端と前壁との間で第１間隔が画定される。第２仕切りは第２端を有し、第２端と前壁との間で第２間隔が画定される。冷却空気の流れを制御するために、第２間隔は第１間隔よりも狭くなっている。【選択図】図３
2015212613.tif 000002
【特許請求の範囲】
【請求項１】
ギャレーカート（１００）であって、
入口部（１２０）と出口部（１２２）とを有するハウジング（１０２）と、
第１端を有する第１仕切り（１２４ａ）であって、前記第１端と前壁との間で第１間隔が画定される前記第１仕切り（１２４ａ）と、
第２端を有する第２仕切り（１２４ｂ）であって、前記第２端と前記前壁との間で、前記第１間隔より狭い第２間隔が画定される前記第２仕切り（１２４ｂ）と
を備えるギャレーカート（１００）。
【請求項２】
更に、
前記第１仕切り（１２４ａ）と前記第２仕切り（１２４ｂ）とを含む、長さが等しい複数の仕切り（１２４）であって、前記第１仕切りよりも底壁（１１０）の近くに位置決めされた奇数番目の仕切りは前記第１間隔に位置決めされた第１端を有し、前記第２仕切りよりも前記底壁の近くに位置決めされた偶数番目の仕切りは前記第２間隔に位置決めされた第２端を有することにより、前記偶数番目及び奇数番目の仕切りによる均等に交互にずらした間隔を提供する複数の仕切り（１２４）を備える、請求項１に記載のギャレーカート（１００）。
【請求項３】
前記第２間隔が実質的にゼロであって、前記第２端は前記前壁と実質的に同一平面上に配置される、請求項２に記載のギャレーカート（１００）。
【請求項４】
前記前壁はドア（１１２）であり、前記仕切り（１２４）は取り外し可能であり、前記ドアから後壁（１１３）まで延びている側壁に装着され、前記奇数番目の仕切りを前記後壁から均一間隔に押さえる止め具（１３８）を更に備え、前記偶数番目及び奇数番目の仕切りを均等に交互にずらすことで、前記入口部（１２０）から前記出口部（１２２）まで冷却された空気が蛇行して流れるようになる、請求項２又は３に記載のギャレーカート（１００）。
【請求項５】
更に、前記第１仕切り（１２４ａ）と前記第２仕切り（１２４ｂ）とを含む、長さが等しい複数の仕切り（１２４）を備え、前記第１及び第２仕切りから連続する下位の仕切りは、前記前壁からの間隔が順次狭まる前方端（１４４）を有する、請求項１に記載のギャレーカート（１００）。
【請求項６】
更に、前記第１及び第２仕切り（１２４ａ、１２４ｂ）から連続する下位の前記仕切り（１２４）は、前記後壁（１１３）からの間隔が順次広がる後方端（１４０）を有し、前記前方端は前記第１仕切りから底部仕切り（１２４ｎ）まで下方向に面積が縮小している流入チャネル（１３４）を形成し、前記後方端は前記第１仕切りから前記底部仕切りまで下方向に面積が拡大している流出チャネル（１３６）を形成している、請求項５に記載のギャレーカート（１００）。
【請求項７】
前記前壁はドア（１１２）であり、前記仕切り（１２４）は取り外し可能であり、更に前記ドアから後壁（１１３）まで延びている側壁に装着され、前記流出チャネル（１３６）において前記奇数番目の仕切りを前記後壁から均一間隔に押さえる止め具（１３８）を更に備える、請求項６に記載のギャレーカート（１００）。
【請求項８】
前記ドア（１１２）に装着され、前記仕切り（１２４）の前記前方端（１４４）に接触して、前記仕切りを前記止め具（１３８）に押接する三角バンパー（１４２）を更に備える、請求項７に記載のギャレーカート（１００）。
【請求項９】
冷却空気の流れを前記仕切り（１２４）の間の空間（１４６）の中へ案内するために前記前壁に装着された傾斜部（１５０ａ）を更に備える、請求項６から８のいずれか一項に記載のギャレーカート（１００）。
【請求項１０】
前記第１空間の中への流れのために、前記入口部（１２０）は頂壁（１０８）と前記第１仕切り（１２４ａ）との間の第１空間（１４６ａ）に合わせて位置調整される、請求項６から９のいずれか一項に記載のギャレーカート（１００）。
【請求項１１】
前記入口部（１２０）は、第１空間（１４６ａ）と第２空間（１４６ｂ）の中への二等分された流れのために、前記第１仕切り（１２４ａ）に合わせて位置調整され、前記第１空間は頂壁（１０８）と前記第１仕切りとの間に画定され、前記第２空間は前記第１仕切りと前記第２仕切り（１２４ｂ）との間に画定される、請求項６から１０のいずれか一項に記載のギャレーカート（１００）。
【請求項１２】
前記出口部（１２２）は、底部空間（１４６ｎ＋１）から流れを受けるために、前記底部空間に合わせて位置調整され、前記底部空間は前記底壁（１１０）と前記底壁に隣接する仕切り（１２４ｎ）との間に画定される、請求項６から１１のいずれか一項に記載のギャレーカート（１００）。
【発明の詳細な説明】
【技術分野】
【０００１】
本発明の実施形態は概して、輸送車両用ギャレーカートシステムに関し、更に具体的には、絶縁ギャレーカートの冷却された作動流体をより良く分配するためのシステムを提供することに関する。
【背景技術】
【０００２】
輸送車両、例えば航空機及び列車の食品サービスに用いられるギャレーカートでは、しばしば車両の客室よりも低い温度で食品及び飲料を維持するために冷却が必要となる。少なくとも幾つかの既存のカートは、食品／飲料を冷却するためにカートの内部空間に冷却空気を供給する能動的冷蔵システム（冷却装置）を含む、又はそれに接続される。他のカートは、カートの内容物を冷却するために、冷却空気又は昇華ＣＯ２を供給するギャレー冷却システムへの接続を採用している。いずれの場合にも、少なくとも幾つかの既存のギャレーカートは、流入する冷却気体の流れを制御して、カートの全ての部分を実質的に等しく冷却するように気体を分配することができない。既存のギャレーカートの冷却空気の流れは主に、ギャレーカート内の全内容物の上ではなく、ギャレーカートの壁を伝って流れる。これにより、不均衡な冷却の問題、又は上部の棚の食品と比べて（冷却空気の入口部がギャレーカートの上部に配置されるため、上部の棚の食品は十分に冷やされたままである）、ギャレーカートの中央の食品は温かい場合が生じる。
【０００３】
したがって、ギャレーカート内で冷却空気を均一に分配する、改善された構造設計を提供することが望ましい。
【発明の概要】
【０００４】
例示の実施形態は、第１の態様において、入口部と出口部を有するハウジングを有するギャレーカートを提供する。第１仕切りは第１端を有し、第１端と前壁との間に第１間隔が画定される。第２仕切りは第２端を有し、第２端と前壁との間に第２間隔が画定される。第２間隔は、冷却空気の流れを制御するために、第１間隔よりも狭くなっている。
【０００５】
第２態様では、実施形態は、入口部と出口部とを有するハウジングを有するギャレーカートを提供する。第１仕切りは、前壁から間隔を置いて配置された前方端を有し、第２仕切りは前壁から間隔を置いて配置された前方端を有する。頂壁と第１仕切りとの間の空間から、第１仕切りと第２仕切りとの間の空間の中へ冷却空気流を案内する傾斜部が前壁に装着される。
【０００６】
本明細書の実施形態は、入口部から第１仕切りの上の第１空間の中への流れを可能にすることによって、ギャレーカートにおいて冷却空気の流れを均一に分配する方法を提供する。第１仕切りの前方端を前壁又はドアから間隔を置いて配置し、第２仕切りの前方端を前壁からより狭い間隔を置いて配置することで、前壁により、第１仕切りと第２仕切りとの間の第１空間から第２空間への流れが制御される。
【０００７】
既に説明した特徴、機能及び利点は、本発明の様々な実施形態で独立に実現することが可能であるか、以下の説明及び図面を参照してさらなる詳細が理解されうる、更に別の実施形態で組み合わせることが可能である。
【図面の簡単な説明】
【０００８】
【図１】開示の実施形態を用いることができる例示のギャレーカートの前面斜視図である。
【図２】ギャレーカート内の棚構造の従来技術の配置を示す側面断面図である。
【図３】入口及び排気又は出口弁が上部トレイ支持部と、底部のトレイ支持部の上下に合わせて位置調整されている、改善された冷却流の第１実施形態の側面断面図である。
【図４】上部トレイ支持部と底部のトレイ支持部によってそれぞれ二等分された入口弁及び出口弁を有する、第１実施形態の側面断面図である。
【図５】内部の棚の配置を示すために透明のカートの右側及び左側を示す第２実施形態の後面斜視図である。
【図６】第２実施形態の棚と傾斜部の配置の詳細図である。
【図７】第３実施形態の側面断面図である。
【図８】本明細書に開示された実施形態の工程を説明するフロー図である。
【発明を実施するための形態】
【０００９】
本明細書に記載される実施形態は、支持されたトレイ棚を有する絶縁ギャレーカート（ＩＧＣ）を用いて、上部の入口弁から底部の排気又は出口弁までカートを通って冷却気体が流れる所定の流れチャネルを提供する。第１実施形態では、傾斜したトレイ構成によって、従来技術のカートの流れ速度よりも遅い流れ速度で流れが混合しやすくなる。トレイの傾斜によって、いわゆる効率的な変動エリアの流れダクトができる。これらのダクトは、各トレイ列に均一に冷却空気を送るのを助ける。第２実施形態では、ドアと後壁の中に空気の傾斜路を組み込むことができる。これらの傾斜路は、下向きに流れる空気をトレイ列の中に偏向し、循環が改善される。第３実施形態では、トレイはずらした構成で構成される。これにより、すべてのトレイ列を通過することによって、空気が入口部から出口部まで流れる経路ができる。この構造を使用すると、従来の空気が通るカートよりも必要とされる空気量が少ないため、ギャレーにおいて空気ダクトが必要とする空間が縮小し、ギャレーの奥行きを狭めることができる。
【００１０】
図面を参照すると、図１は、本明細書で開示される実施形態で用いられるＩＧＣ１００の等角図である。実施形態では、ＩＧＣ１００はハウジング１０２を含み、ハウジング１０２は第１側面１０４、第２側面１０６、上部１０８、及び底部１１０を有する。ＩＧＣ１００は更に、ハウジング１０２の一端に位置決めされた第１ドア１１２を含む。ドア１１２は更に、一又は複数のヒンジ１１４及び外れ止め部１１６を含むことができる。ヒンジ１１４は、ドア１１２をハウジング１０２に枢動可能に取り付ける。外れ止め部１１６は、ドア１１２が図１に示されるように閉じた位置にある場合、ハウジング１０２に取り付けられる対応受け部１１８に解放可能に係合するように構成されうる。疑似線で示すように、ＩＧＣ１００のハウジング１０２は、後により詳細に説明するフローオペレイトバルブを各々有する例えば後壁１１３、入口部１２０及び出口部１２２を有する。
【００１１】
ＩＧＣの従来技術の構成を図２に示すように、支持トレイ１２４´はＩＧＣ１００´内に装着され、ドア１１２´と後壁１１３´からトレイまでの間隔が対称となる。この間隔により、ＩＧＣの前に流れ隙間１２６´ができ、ＩＧＣの後方に流れ隙間１２８´ができる。入口部１２０´に入る冷却流は、上部トレイの上の空間の中へ流れ、流れ隙間１２６´、１２８´を通って下向きに流れる。次の垂直に配置されたトレイの上の空間の中への限定された自然対流の流れにより、これらの空間が冷却されるが、流れは均一に分配されない。
【００１２】
本実施形態では、ＩＧＣ１００は、明確さのために本明細書において概して「トレイ」と呼ばれるパーティション、棚、トレイ、又は容器等の複数の仕切りを含むが、任意の適切な仕切りを採用することができることを理解すべきである。図３は、トレイの前方端又は第１端と、ドア１１２との間の第１間隔に第１又は前方隙間１３０ができ、前壁が形成されるように、上部トレイ１２４ａを後壁１１３に隣接させて、傾斜した、又は徐々にずらして配置された形状でトレイ１２４が装着される第１実施形態を示す。第２トレイ１２４ｂは、前方又は第２端がドアから、上部トレイの第１間隔よりも狭い第２間隔にあるように位置決めされる。図示したギャレーカートには、入口部１２０と出口部１２２を有するハウジング１０２が含まれる。第１端を有する第１トレイ１２４ａ又は仕切りが存在し、第１端と前壁又はドア１１２との間に第１間隔が画定される。第２端を有する第２トレイ１２４ｂ又は仕切りが存在し、第２端と前壁との間に第２間隔が画定され、第２間隔は第１間隔よりも狭くなっている。
【００１３】
図３の実施形態において、下方向に続く連続的な下位トレイは、第２又は後方隙間１３８が順次広がり、前方隙間１３３が順次狭まって、下方向に続くトレイから底部トレイ１２４ｎまで流入チャネル１３４と流出チャネル１３６とを形成するように装着される。流入チャネル１３４の断面面積は、空気が下向きに下方向に続くトレイに流れるにつれ、減少する。この実施形態に示すギャレーカートには、第１トレイ１２４ａと第２トレイ１２４ｂとを含む、長さが等しい複数のトレイ１２４又は仕切りが含まれ、第１及び第２トレイから連続する下位トレイ又は仕切りは、ドア１１２又は前壁から順次狭まる間隔にある前方端を有する。
【００１４】
トレイに沿って下向きに流出チャネル１３６の断面面積が拡大し、連続的に下方向に続くトレイからのより大きい累積流量を受け入れる。図示したギャレーカートは、後方端の後壁１１３からの間隔が順次広がる、第１トレイ１２４ａと第２トレイ１２４ｂから連続する下位トレイ又は仕切りを提供する。前方端は、面積が第１トレイ１２４ａ又は仕切りから底部トレイ１２４ｎ又は仕切りまで下方向に縮小している流入チャネル１３４を形成し、後方端は、第１仕切りから底部仕切りまで下方向に面積が拡大している流出チャネル１３６を形成する。
【００１５】
トレイ１２４を標準トレイ支持部（図示せず）で取り外し可能にするためには、トレイの後方端１４０が押接される片方又は両方の側壁に止め具１３８を用いることができる。トレイの前方端１４４が止め具１３８に押接されるように三角バンパー１４２がドア１１２の内部に配置される。しかしながら、任意の適切な形状のバンパーを使用することができる。説明した実施形態を、変形バンパー１４２を用いることによって、トレイと対照的に食品ラベルを用いることもできる。あるいは、トレイを所望の端部間隔でＩＧＣ１００の側壁に固定して、各トレイが上部トレイ１２４ａから底部トレイ１２４ｎまで下方向に続く断面面積の傾斜を望ましいものにすることができる。
【００１６】
ハウジング１０２は、入口部１２０と出口部１２２とを含む。具体的な実施形態では、図３に示すように、又は図４に示すように、上部トレイ１２４ａの上の空間１４６ａと、底部トレイ１２４ｎの下の空間１４６ｎ＋１とを中心に、あるいは、第１トレイ１２４ａを中心に、入口部１２０と出口部１２２をＩＧＣ１００の後壁１１３に配置し、上部空間１４６ａと第２空間１４６ｂへの両方の流れを二等分することができ、同様に、底部トレイ１２４ｎを中心にして、第２トレイと底部との間の第２空間から底部空間１４６ｎまでの流れを受け入れ、また底部トレイとハウジング１０２の底壁１１０との間の底部空間１４６ｎ＋１の流れを受け入れることができる。
【００１７】
図３及び４の両方で見ることができるが、明確さのために図４に番号が振られているＩＧＣ１０の頂壁１０８はドア１１２に隣接する成形された凹曲面部（ｃｏｖｅ）１４８を用いて、上部空間１４６ａの流れを下方向に流入チャネル１３４の中へ促す。
【００１８】
図５及び６に示すように、第２実施形態は、ドア１１２に装着された傾斜部１５０ａを用いて、冷却空気が方向を変え流入チャネル１３４を通ってトレイ間の空間１４６の中へ流れるように促す。同様に、傾斜部１５０ｂを後壁１１３に装着して、流れが空間１４６から方向を変えて流出チャネル１３４へ流れるように促すことができる。傾斜部１５２は、例示の実施形態の図面に示すように、又はトレイの間にトレイに合わせて位置調整されて位置づけされうる。この実施形態を前述した傾斜した流入チャネル及び流出チャネルと合わせて使用することができ、また従来のやり方で間隔を置いて配置されたトレイでの流れの分配を促進することができる。図５及び６に示すように、頂壁１０８の凹曲面部（ｃｏｖｅ）１４８ａ、及び／又は図５に示すように、底壁１１０の凹曲面部（ｃｏｖｅ）１４８ｂを用いて、上部空間１４６ａから底部空間１４６ｎ＋１までの冷却空気の流れが滑らかに流入するようにすることもできる。
【００１９】
長さが等しい複数の仕切りが第１仕切りと第２仕切りを含む第３実施形態を図７に示す。上記実施形態では、奇数番目の仕切りは第１仕切りよりも底壁１１０により近く位置決めされ、第１間隔に位置決めされた第１端を有する。偶数番目の仕切りは第２仕切りよりも底壁１１０により近く位置決めされ、第２間隔に位置決めされた第２端を有し、これにより偶数番目と奇数番目の仕切りの間隔が均等に交互にずらされる。更に具体的には、上部トレイ１２４ａは、後方端１４９を後壁１１３に実質的に接触させて装着され、ドア１１２から間隔を置いて配置された第１端１５１を有し、これにより閉じた位置にあるドア１１２との間に第１又は前方隙間１５２ができる。第１トレイと長さが実質的に等しい第２棚１２４ｂは閉じた位置のドア１１２と実質的に同一平面上に装着される、又は少なくとも、上部トレイの前方隙間１５２よりも狭い隙間で間隔を置いて配置された前方端１５３を有することにより、トレイの後方端１５５と後壁１１３との間に第２後方隙間１５４ができる。
【００２０】
具体的な実施形態では、第２間隔は実質的にゼロ又はヌルであるため、第２隙間１３２はなくなり、第２端はドア１１２と実質的に同一平面上に位置決めされる。
【００２１】
第１及び第２トレイから連続して下方向に続く、これもまた長さが同じトレイが交互に装着され均等に交互にずらされることで、矢印１５６によって示すように、入口部１２０からの冷却気体が上部トレイの空間１４６ａから次のトレイの空間まで順次蛇行して流れて、底部空間１４６ｎ＋１まで下りて出口部１２２で流出するようになる。この蛇行する流れにより、冷却空気が実質的に一定の等しい流れでトレイの間の全ての空間に分配されることが可能になる。この実施形態のギャレーカートは、第１仕切りと第２仕切りとを含む長さが等しい複数の仕切りを提供し、第１仕切りよりも底壁の近くに位置決めされた奇数番目の仕切りは前記第１間隔に位置決めされた第１端を有し、第２仕切りよりも底壁の近くに位置決めされた偶数番目の仕切りは前記第２間隔に位置決めされた第２端を有することにより、偶数番目及び奇数番目の仕切りによる均等に交互にずらした間隔を提供する。
【００２２】
取り外し可能なトレイを有するＩＧＣの上述した徐々に交互にずれた実施形態では、トレイ止め具１５８をＩＧＣの側壁に用いて、第２トレイ１２４ｂと、偶数の交互のトレイを後壁１１３から間隔を置いて配置することができる。前方端とドア１１２との間の流れを大幅に制限することなく、ドア１１２に取り付けられたフィーラプローブ１５９を用いて、前方端１５３に接触させ、頂及び奇数の交互のトレイを筐体の後壁に押接させることができる。第１トレイ１２４ａと奇数の交互のトレイは後壁１１３に押接される。あるいは、トレイを側壁の均等に交互にずれた位置に固定することができる。ドア１１２に隣接するハウジングの底壁１１０の頂凹曲面部１４８ａ及び／又は底凹曲面部１４８ｂを用いて、蛇行路の開始及び終了における流れを滑らかにすることもできる。
【００２３】
説明した実施形態は、ギャレー気流システムにギャレーカートの入口部１２０を位置決めし、冷却空気を頂壁１０８と第１トレイ１２４ａとの間の第１空間へ排出する（ステップ８０２）ことによって、図８に示すように、ギャレーカートを通る冷却空気を均一に分配する方法を提供する（ステップ８０２）。第１トレイ１２４ａの前方端を前壁又はドア１１２からある間隔を置いて配置し（ステップ８０４）、第２トレイ１２４ｂの前方端を前壁からより狭い間隔を置いて配置（ステップ８０６）することにより、第１空間１４６ａから第１トレイと第２トレイの間の第２空間１４６ｂへの流れが制御される。第１実施形態では、下方向に続く次のトレイの前方端を前壁から順次狭まる間隔を置いて配置し（ステップ８０８）、下方向に続く次のトレイの後方端を後壁１１３から順次広がる間隔を置いて配置（ステップ８１０）することにより、順次下位トレイにおいて断面積が縮小する流入チャネル１３４と、順次下位トレイにおいて断面積が拡大する流出チャネル１３６とが得られ、これにより、トレイを介して空間へ流れる冷却空気が分配される。
【００２４】
第２実施形態では、下方向に続く次の奇数番目のトレイの前方端の、前壁からの間隔を均等に交互にずらし（ステップ８１２）、下方向に続く次の偶数番目のトレイの後方端の、後壁からの間隔を均等に交互にずらす（ステップ８１４）ことにより、下方向に続く次のトレイの間の空間を通って出口部１２２まで流れる冷却空気の蛇行路が得られる。下方向に続く次のトレイの上の空間に流れを案内するために前壁に傾斜部１５０ａを設ける（ステップ８１６）ことにより、空間への均一な流れが促進され、下方向に続く次のトレイの上の空間から下方向へ流れを案内するために後壁に傾斜部１５０ｂを設ける（ステップ８１８）ことにより、空間からの均一な流れが促進される。頂壁からドアまで凹曲面部１４８ａを設ける（ステップ８２０）ことにより同様に、上部空間１４６ａからの均一な流れが促進される。ハウジングのドアから底壁まで凹曲面部１４８ｂを設ける（ステップ８２２）ことにより同様に、底部空間１４６ｎ＋１へ流入する均一な流れが促進される。
【００２５】
更に、本発明は、以下の条項による実施形態を含む。
【００２６】
条項１．ギャレーカートであって、入口部と出口部とを有するハウジングと、第１端を有する第１仕切りであって、第１端と壁との間で第１間隔が画定される第１仕切りと、第２端を有する第２仕切りであって、第２端と前壁との間で第２間隔が画定される第２仕切り（１２４ｂ）とを備え、第２間隔は第１間隔よりも狭いギャレーカート。
【００２７】
条項２．更に、第１仕切りと前記第２仕切りとを含む長さが等しい複数の仕切りであって、第１仕切りよりも底壁の近くに位置決めされた奇数番目の仕切りは第１間隔に位置決めされた第１端を有し、第２仕切りよりも底壁の近くに位置決めされた偶数番目の仕切りは第２間隔に位置決めされた第２端を有することにより、偶数番目及び奇数番目の仕切りによる均等に交互にずらした間隔を提供する複数の仕切りを備える、条項１に記載のギャレーカート。
【００２８】
条項３．第２間隔が実質的にゼロであって、第２端は前壁と実質的に同一平面上に配置される、条項２に記載のギャレーカート。
【００２９】
条項４．前壁はドアであり、仕切りは取り外し可能であり、ドアから後壁まで延びている側壁に装着され、奇数番目の仕切りを後壁から均一に間隔を置いて押さえる止め具を更に備え、偶数番目及び奇数番目の仕切りを均等に交互にずらして配置することで、入口部から出口部まで冷却された空気が蛇行して流れるようになる、条項２に記載のギャレーカート。
【００３０】
条項５．ドアに隣接する頂壁に第１凹曲面部を更に備える、条項４に記載のギャレーカート。
【００３１】
条項６．更に、第１仕切りと第２仕切りとを含む長さが等しい複数の仕切りを備え、第１及び第２仕切りから下方向に続く次の仕切りは、前壁からの間隔が順次狭まる前方端を有する、条項１に記載のギャレーカート。
【００３２】
条項７．更に、第１及び第２仕切りから下方向に続く次の仕切りは、後壁からの間隔が順次広がる後方端を有し、前記前方端は第１仕切りから底部仕切りまで下方向に面積が縮小する流入チャネルを形成し、後方端は前記第１仕切りから底部仕切りまで下方向に面積が拡大する流出チャネルを形成している、条項６に記載のギャレーカート。
【００３３】
条項８．前壁はドアであり、仕切りは取り外し可能であり、ドアから後壁まで延びている側壁に装着され、流出チャネルにおいて奇数番目の仕切りを後壁から均一間隔に押さえる止め具を更に備える、条項７に記載のギャレーカート。
【００３４】
条項９．ドアに装着され、仕切りの前方端に接触して、仕切りを止め具に押接させる三角バンパーを更に備える、条項８に記載のギャレーカート。
【００３５】
条項１０．冷却空気の流れを仕切りの間の空間の中へ案内するために前壁に装着された傾斜部を更に備える、条項７に記載のギャレーカート。
【００３６】
条項１１．第１空間の中への流れのために、入口部が頂壁と第１仕切りとの間の第１空間に合わせて位置調整される、条項７に記載のギャレーカート。
【００３７】
条項１２．入口部は、第１空間と第２空間の中への二等分された流れのために、第１仕切りに合わせて位置調整され、第１空間は頂壁と第１仕切りとの間に画定され、第２空間は第１仕切りと第２仕切りとの間に画定される、条項７に記載のギャレーカート。
【００３８】
条項１３．出口部は、底部空間から流れを受けるために、底部空間に合わせて位置調整され、底部空間は底壁と底壁に隣接する仕切りとの間に画定される、条項７に記載のギャレーカート。
【００３９】
条項１４．ドアに隣接する底壁に第２凹曲面部を更に備える、条項７に記載のギャレーカート。
【００４０】
条項１５．ギャレーカートであって、入口部と出口部とを有するハウジングと、前壁から間隔を置いて配置された第１端を有する第１仕切りと、前壁から間隔を置いて配置された前方端を有する第２仕切りと、冷却空気の流れを頂壁と第１仕切りとの間の第１空間から第１仕切りと第２仕切りとの間の第２空間へ案内するために前壁に装着された傾斜部とを備える、ギャレーカート。
【００４１】
条項１６．更に、第１仕切りと第２仕切りとを含む複数の仕切りであって、各仕切りが前壁から間隔を置いて配置された前方端を有する複数の仕切りと、前壁に装着され、冷却空気の流れを各傾斜部から各傾斜部に関連付けられた仕切りの間の空間へ案内する複数の傾斜部とを備える、条項１５に記載のギャレーカート。
【００４２】
条項１７．複数の仕切りは各々、後壁から間隔を置いて配置された後方端を有し、更に、各傾斜部に関連付けられた仕切りの間の空間から流れを底壁に向かって下方向に案内するために後壁に装着された複数の傾斜部を備える、条項１６に記載のギャレーカート。
【００４３】
条項１８．ギャレーカートに冷却空気の流れを均一に分配する方法であって、頂壁と第１仕切りとの間の第１空間へ流れを排出するために入口部を位置決めすることと、第１仕切りの前方端を前壁からある間隔を置いて配置することと、第１空間から第１仕切りと第２仕切りとの間の第２空間への流れを制御するために第２仕切りの前方端を前壁からより狭い間隔を置いて配置することとを含む方法。
【００４４】
条項１９．仕切りを介して空間へ流れる冷却空気を分配するために、断面積が減少する流入チャネルと、断面積が拡大する流出チャネルとを提供するために、第２仕切りと底部との間で下方向に間隔を置いて配置された複数の仕切りの前方端を、前壁から順次縮小する間隔を置いて配置することと、複数の仕切りの後方端を、後壁から順次広がる間隔を置いて配置することと、を更に含む、条項１８に記載の方法。
【００４５】
条項２０．下方向に続く次の空間を通って出口部まで冷却空気が流れる蛇行路を提供するために、第２仕切りから下方向に間隔を置いて配置された複数の仕切りの前方端の間隔を前壁から均等に交互にずらすことと、後壁から複数の仕切りの後方端の間隔を均等に交互にずらすこととを更に含む、条項１８に記載の方法。
【００４６】
条項２１．各仕切りの上の空間へ流れを案内して、容積への均一な流れを促進するために、前壁に傾斜部を設けることを更に含む、条項１８に記載の方法。
【００４７】
条項２２．第２の仕切り及び下方向に続く次の仕切りの上の容積から下方向に流れを案内して空間からの均一な流れを促進するために、後壁に傾斜部を設けることを更に含む、条項２１に記載の方法。
【００４８】
ここで本発明の様々な実施形態を特許法で要求されるように詳しく説明してきたが、当業者は本明細書に開示された特定の実施形態への変形例および代替例を認識するだろう。上記変形例は、下記の請求項に定義された本発明の範囲および目的に含まれるものである。
【符号の説明】
【００４９】
１００    ギャレーカート
１００´    ＩＧＣ
１０２    ハウジング
１０４    ハウジングの第１側面
１０６    ハウジングの第２側面
１０８    ハウジングの上部
１１０    ハウジングの底部
１１２    ドア
１１２´    ドア
１１３    後壁
１１３´    後壁
１１４    ヒンジ
１１６    外れ止め部
１１８    対応受け部
１２０    入口部
１２０´    入口部
１２２    出口部
１２２´    出口部
１２４    トレイ
１２４´    支持トレイ
１２４ａ    上部トレイ、第１トレイ
１２４ｂ    第２トレイ
１２４ｎ    底部トレイ
１２６´    流れ隙間
１２８´    流れ隙間
１３０    第１又は前方隙間
１３２    第２隙間
１３４    流入チャネル
１３６    流出チャネル
１３８    第２又は後方隙間、止め具
１４０    トレイの後方エッジ
１４２    変形バンパー
１４４    トレイの前方エッジ
１４６    トレイ間の容積
１４６ａ    上部トレイの上の容積、上部容積
１４６ｂ    第２容積
１４６ｎ    底部容積
１４６ｎ＋１    底部トレイの下の容積
１４８    凹曲面部（ｃｏｖｅ）
１４８ａ    頂壁の凹曲面部（ｃｏｖｅ）
１４８ｂ    底壁の凹曲面部（ｃｏｖｅ）
１４９    後方エッジ
１５０ａ    傾斜部
１５０ｂ    傾斜部
１５１    第１エッジ
１５３    前方エッジ
１５５    後方エッジ
１５８    トレイ止め具
１５９    フィーラプローブ
【図１】
2015212613.tif 000003
【図２】
2015212613.tif 000004
【図３】
2015212613.tif 000005
【図４】
2015212613.tif 000006
【図５】
2015212613.tif 000007
【図６】
2015212613.tif 000008
【図７】
2015212613.tif 000009
【図８】
2015212613.tif 000010
【外国語明細書】
2015212613000001.pdf
2015212613000002.pdf
2015212613000003.pdf
2015212613000004.pdf